(57)【特許請求の範囲】
【請求項１】
先軸と中軸の先方を互いに回転不能且つ抜け止め状態に固定し、中軸に一体化したガイド部の複数の案内溝に、夫々筆記体を中軸と摺動コマとの間にリターンスプリングを附勢して前後動自在に嵌装し、軸方向に変位するカム斜面を前端部に円周状に設けた円筒カムをガイド部又は中軸に対し回転可能に抜け止めし、各摺動コマをカム斜面に当接させることにより中軸に対する円筒カムの回転によって交互に前後動させて、各筆記体の先端を先軸の先端口から選択的に出没可能とした前方筆記部と、後方部で消しゴムを出没可能とした複式筆記具に於いて、
少なくとも一本をシャープペンシル筆記体として、前記円筒カムが中軸に対し軸推移して芯の繰り出しが可能と成され、シャープペンシル筆記体に接続する芯収容部に、その後端から芯が補充可能と成されて、さらに、後軸の後端に後端部を当接すると共に後軸に対して回動可能に係止された内筒と後軸との間に螺旋溝とスリットが形成され、消しゴムを挟持すると共に側面に突起を有したスライダーがその突起を螺旋溝とスリットに嵌入させて、後軸に対する内筒の後端部を回動することによりスリットに対する螺旋溝の回動でスライダーの突起が前後動して消しゴムが出没可能となる消しゴム繰り出し装置が、前記後軸を円筒カムの後方に着脱可能で且つ一体的に固定して配設されたことを特徴とする複式筆記具。
【請求項２】
先軸と中軸の先方を互いに回転不能且つ抜け止め状態に固定し、中軸に一体化したガイド部の複数の案内溝に、夫々筆記体を中軸と摺動コマとの間にリターンスプリングを附勢して前後動自在に嵌装し、軸方向に変位するカム斜面を前端部に円周状に設けた円筒カムをガイド部又は中軸に対し回転可能に抜け止めし、各摺動コマをカム斜面に当接させることにより中軸に対する円筒カムの回転によって交互に前後動させて、各筆記体の先端を先軸の先端口から選択的に出没可能とした前方筆記部と、後方部で消しゴムを出没可能とした複式筆記具に於いて、
少なくとも一本をシャープペンシル筆記体として、前記円筒カムが中軸に対し軸推移して芯の繰り出しが可能と成され、シャープペンシル筆記体に接続する芯収容部に、その後端から芯が補充可能と成されて、さらに、前記円筒カムの後方に後軸が着脱可能で且つ一体的に固定され、後軸の側面にスリットを穿設して、該スリットの内側面に突起と溝が交互に形成された係合部が設けられ、後方に消しゴムを止着したスライダーが、その外周に設けられた係合突起を前記スリットの係合部溝に係脱可能に設けて、後軸に対してスライダーを前後動させて消しゴムを後軸の後端から出没可能としたことを特徴とする複式筆記具。
【発明の詳細な説明】
【０００１】
【産業上の利用分野】
本発明は、複数の筆記体の先端を先軸先端口に於いて交互に出没自在とし、且つ、後軸後端から消しゴムを出没自在とした複式筆記具の提供に関する。
【０００２】
【従来の技術】
従来、複式筆記具の一例としては、同出願人による実開昭６４ー３４９１号公報に見られるように、２本の筆記体を案内する摺動溝を有して先軸に対し固着されるガイド筒と、当該ガイド筒に嵌装される二本の筆記体に取付けられた摺動コマに接するカム斜面を前端部に有すると共に、後端はノック部となしてキャップに対し軸方向に移動自在に、且つ円周方向の回転は一体となるよう装着された円筒カムを備え、先軸に対するキャップの回転操作により二本の筆記体を先軸先端口に於いて選択的に出没可能とした複式筆記具が存在する。又、特開平３ー７９３９７号公報に見られるように摺動コマの後端縁に軸方向に変位する円周状のカム斜面を有し、それと当接するカム係合突起をキャップの内孔部に有した複式筆記具が存在する。
又、実開昭５８ー２６５８９号公報や実開昭５８ー２６５７７号公報によって軸筒の後端部に消しゴムや他の筆記具を備えたものが公知である。
又、従来例として、同出願人により実公平２ー２８０７７号公報で軸筒の後端部に消しゴムや他の筆記具等の他物品を交換可能に備えた複式筆記具が公知となっている。
【０００３】
【発明が解決しようとする課題】
ところで、上記実公平２ー２８０７７号公報に示される従来例は、構造が複雑で部品点数も多く安価に提供できない弊害があった。又、先軸に対しキャップが長い為に軸筒の先端と後端を掴んで回転操作を行う不具合と体裁が悪い欠点が存在する。
本発明は、以上の問題解決を課題とすると共に、筆記具側に対し２種類の消しゴム繰り出し側を交換可能として、好みの使い勝手を選択可能とすること、芯収容部に後端から芯が補充可能となることを課題とする。
【０００４】
【課題を解決するための手段】
上記の課題を解決する為に本発明の複式筆記具は、先軸と中軸の先方を互いに回転不能且つ抜け止め状態に固定し、中軸に一体化したガイド部の複数の案内溝に、夫々筆記体を中軸と摺動コマとの間にリターンスプリングを附勢して前後動自在に嵌装し、軸方向に変位するカム斜面を前端部に円周状に設けた円筒カムをガイド部又は中軸に対し回転可能に抜け止めし、各摺動コマをカム斜面に当接させることにより中軸に対する円筒カムの回転によって交互に前後動させて、各筆記体の先端を先軸の先端口から選択的に出没可能とした前方筆記部と、後方部で消しゴムを出没可能とした複式筆記具に於いて、
１種は円筒カムの後方に後軸が着脱可能で且つ一体的に固定され、後軸の後方内孔部に、後軸に対し突出した後端部を回動することで消しゴムが出没可能と成る消しゴム繰り出し装置が配設され、当該消しゴム繰り出し装置は消しゴムを挟持すると共に側面に突起を有したスライダーがその突起をスリットと螺旋溝に嵌入させて、スリットに対する螺旋溝の回動で消しゴムが前後動可能とする。
【０００５】
２種は円筒カムの後方に後軸が着脱可能で且つ一体的に固定され、後軸の側面にスリットを穿設して、該スリットの内側面に突起と溝が交互に形成された係合部が設けられ、後方に消しゴムを止着したスライダーが、その外周に設けられた係合突起を前記スリットの係合部溝に係脱可能に設けて、後軸に対してスライダーを前後動させて消しゴムを後軸の後端から出没可能とする。
【０００６】
【実施例】
図１乃至図６は本発明の実施例を示している。図１は１種の複式筆記具で、図６は２種の複式筆記具である。
先ず、本発明の１種の複式筆記具は、ガイド筒２を一体に備えた中軸１、先軸３、円筒カム５、一対の摺動コマ６，６｀、シャープペンシル筆記体７、ボールペン等筆記体８、消しゴム繰り出し機構を備えた後軸４主要構成要素とする。
先ず、中軸１は樹脂製で、図に示すように、略中央部から後端まで側面に開口した軸方向に長い案内溝９とそれと反対側の側面に同様の案内溝９｀を有したガイド筒２が設けられている。ガイド筒２の前半部には、各案内溝９，９｀と連通して孔３１，３１｀を有した仕切り部１６を備えて前端を開口した筒部１０が設けられ、筒部１０の後端に段部３０を有して段部３０の前方外周部には膨出状の係合部１３が形成されている。
【０００７】
又、中軸１の後方側面には図３に示すように縦溝１８が先方の傾斜面６０を介して巾狭部６１が周溝１９に接続されて略Ｌの字状の窓部が穿設されている。又後述するが、円筒カム５の突起１７は縦溝１８より挿入され、突起１７が傾斜面６０を弾性的に拡開して巾狭部６１を通過して周溝１９内に入る。円筒カム５は突起１７が周溝１９の周方向の後壁に当接しながら回転して、シャープペンシル筆記体７又はボールペン等筆記体８の筆記部が先軸先端口から交互に出没することになる。又、周溝１９はシャープペンシル筆記体７が突出するときの突起１７の位置で円筒カム５が軸推移可能なように巾広溝６２が設けられ、筆記体の収納時又はボールペン等筆記体８が突出するときの突起１７の位置で円筒カム５が略軸推移不可となるように周溝１９の後壁６４ａと後壁６４ｃとの間に傾斜面６４ｂが接続されて巾狭溝６３が設けられている。又、後述するが、軸推移の前端で後軸４の壁２０が中軸１の後端に当接して突起１７の前端が周溝１９の前壁６５に当接しないように設定されている。
【０００８】
先軸３は、前方が先細状で、内孔部先端には内段部２６を有して先端口が設けられている。又、後端孔には、前記ガイド筒の筒部１０の外周部に設けられた係合部１３と迎合して筒部１０と抜け止め且つ回転止めされる係合溝１２が設けられている。尚、筒部１０と先軸３は適宜な力で着脱可能に固定される。（実開昭６４ー３４９１号公報の先軸の構成と同じ）
【０００９】
後軸４は樹脂製でやや太径の軸筒部を有しており、軸筒部の後端側面にクリップ４４が設けられている。又、先方の内孔３８の周面に円筒カム５の後方外周部に着脱可能に固定する為の縦状の溝３８ａと突条３９が形成されている。
又、円筒カム５は筒状を成し前端縁に円周状に前後に変位するカム斜面１４を有し、カム斜面１４の最前端部には切欠１５が形成されている。又、円筒カム５の側面には、前記中軸１の縦溝１８に挿入して、弾性的に周溝１９に嵌入して一定範囲（略１８０度）で回転且つ抜け止めする突起１７が形成されている。又、円筒カム５の後方外周部には縦状のリブ３７ａ、周状の溝３７が形成されて、前記後軸４の溝３８ａにリブ３７ａが、突条３９に溝３７が係合して相互が固定される。尚、前記関係に限らず相互間の溝、リブ、突条は設計都合で適宜設けられる。
【００１０】
樹脂製の摺動コマ６は、外面に突起２０を有して、突起２０の後端面には中央部が突出してその両側が前述した円筒カム５のカム斜面１４と略同勾配のカム斜面を有している。又、芯パイプ２１のフランジ部２２に当接して、芯パイプ２１の後方を長く突出して嵌着する孔が設けられている。又、芯パイプ２１の後端孔は尾栓２３が固着され、芯が一本挿通可能な孔２４が設けられている。
摺動コマ６｀は摺動コマ６と同様に突起２０｀とカム斜面を有し、先端にはボールペン等筆記体８の後端を止着する係止部２５が設けられている。尚、係止部はパイプ状に成して筆記体の後端を嵌着することも可能である。
【００１１】
シャープペンシル筆記体７は、一般的なチャック機構を内蔵し、後端にチャック機構と連結した継ぎ手２８を介して芯パイプ２１に接合し、芯パイプ２１の後方に設けたフランジ部２２に当接して摺動コマ６が嵌着され、摺動コマ６の後端から突出した芯パイプ２１の後端孔は上述した如く尾栓２３が固着されている。芯の繰り出しは、シャープペンシル筆記体７先端の段部２７が先軸３の内段部２６に当接した状態で、上記円筒カム５と連動して摺動コマ６の軸推移によりチャックを摺動して行われる。
【００１２】
この状態で、中軸１に対して後軸４を一方に回転すると、リターンスプリング２９を押圧して摺動コマ６が前進して円筒カム５のカム斜面１４の最前端の切欠１５が一方のシャープペンシル筆記体７の摺動コマ６の突起２０に係止して筆記先端部が先軸先端口から突出状態になる。中軸１に対して後軸４を他方に回転すると、摺動コマ６が後退してシャープペンシル筆記体７の筆記先端部が先軸先端口から没入すると共に、リターンスプリング２９｀を押圧して摺動コマ６｀が前進して他方のボールペン等筆記体８の筆記先端部が先軸先端口から突出する。
【００１３】
又、後軸４の内孔３８後端に段部４０が設けられ、その後方に筒状の軸部４１が後端に向かって一体に延設され、軸部４１略前端の外周部に突条の係止部４２が設けられ、その後部外周から軸方向に後端に懸けてスリット４３が形成され、一方、筒部３３の内孔周面に螺旋溝３４が形成された内筒３２が前記軸部４１の外周に被嵌された状態でその後端部３２ａの前端が後軸４の後端に当接すると共に、前記筒部３３の先端口内周に設けられた周状の係止溝３５が前記軸部４１の係止部４２に係合して、内筒３２は後軸４に回動のみ可能に係止される。
【００１４】
又、軸４１内に先方に消しゴム５１を挟持して側面に突起４７を有したスライダー４５が嵌挿されて、突起４７が前記スリット４３を貫通して、更に螺旋溝３４に係合されて成り、前記後軸４に対して前記内筒の後端部３２ａを回動することで消しゴム５１が内筒３２の後端孔から出没可能と成る。
【００１５】
ところで、前記実施例に於いては中軸１とガイド筒２を一体に構成したが、別体と成すことは自由である。
又、図４及び図５は円筒カム５の突起１７を中軸１｀のガイド溝７０に沿って突起１７を中軸の周面に穿設した周溝７１に弾性的に嵌入させて、円筒カム５を中軸１｀に対し抜け止め且つ一定範囲で回転するように成した他の一例を示すもので、前記手段を上記の実施例に設計上組み込むことは可能である。
【００１６】
次に、２種の複式筆記具であるが、前半部は上記と同じであり、以下相違点に付いて説明する。
図６に示すように、円筒カム８７の後方に後軸８０が着脱可能で且つ一体的に固定され、後軸８０の側面にスリット８４を穿設して、該スリット８４の内側面に突起８５と溝８６が交互に形成された係合部が設けられ、後方に消しゴム９４を止着したスライダー９０が、その外周に設けられた係合突起９３を前記スリット８４の係合部溝８６に係脱可能に設けて、後軸８０に対してスライダー９０を前後動させて消しゴム９４を後軸８０の後端から出没可能としたことを特徴とするものである。
【００１７】
又、後軸８０は円筒カム８７の後端部８８の外周に適宜箇所で設けた溝８９に後軸の内孔周面に設けた突条８３を係脱して固定するものであるが、前述した１種の複式筆記具と係脱部の形状が異なって示されている。しかしながら、共通に成すことは可能であり、２種類のものを使い勝手の好みに応じて互換性よく対応可能とする。
【００１８】
【作用】
先軸３又は中軸１に対して後軸４を一方に回転すると、図１に示すように円筒カム５のカム斜面１４の先端に設けた切欠１５が一方のシャープペンシル筆記体体７の摺動コマ６と係合してその筆記先端部を先軸先端口から突出する。この時円筒カム５の突起１７は中軸１の周溝１９で巾広溝６２に位置している。この状態で内筒３２の後端部３２ａをノックして後軸４、即ち円筒カム５を軸推移するその動作が摺動コマ６、芯パイプ２１、シャープペンシル筆記体７に伝達され、筆記先端部の段部２７が先軸３の内段部２６に当接した状態から継ぎ手２８と共にチャックが軸推移して芯が繰り出される。又、先軸３又は中軸１に対して後軸４を他方に回転すると、シャープペンシル筆記体７が後退し、代わりにボールペン等筆記体８の筆記先端部が先軸先端口から突出する。尚、筆記体収納時、ボールペン等筆記体８の突出時に於いては、突起１７が周溝１９の巾狭溝６３に位置して、ノックして中軸１の後端に後軸４の段部４０ａが当接した状態で突起１７が周溝１９の前壁６５に当接しない寸法に設けることで突起等が破壊するのを防止することが可能となる。
【００１９】
１種の場合には、後軸４に対して内筒３２の後端部３２ａを回動すると、スライダー４５が前後動して内筒３２の後端孔から消しゴム５１が出没する。
又、２種の場合には後軸８０に対しスリット８４の係合部と係合するスライダー９０の係合突起９３と連動する操作釦９２を押圧しながら前後にスライドすることで後端から消しゴム９４が出没する。
又、芯の補充は芯パイプ２１の後端に固着された尾栓２３の孔２４から芯を挿入して行うが、芯漏れを防止する為の構造又は取り外し可能な後端閉塞状の尾栓を設けることも考えられる。
【００２０】
【発明の効果】
以上により、従来例の構造が複雑で部品点数も多く安価に提供できない弊害や先軸に対しキャップが長い為に軸筒の先端と後端を掴んで回転操作を行う不具合と体裁が悪い欠点が解決される。
又、筆記具側に対し２種類の消しゴム繰り出し側を交換可能として、好みの使い勝手が選択可能となる。又、芯収容部に後端から芯が補充可能となり扱いが楽になる。
【図面の簡単な説明】
【図１】本発明の実施例（１種）を示す全体の縦断面図で、一部非断面となっている。
【図２】図１の後半部を拡大した断面図である。
【図３】円筒カムと中軸の係止状態を示した説明図である。
【図４】円筒カムと中軸の係止状態に於ける他の一例を示した説明図である。
【図５】図４に於ける要部の断面図である。
【図６】本発明の実施例（２種）を示す全体の縦断面図で、一部非断面となっている。
【符号の説明】
１  中軸
１｀  中軸
２  ガイド筒
３  先軸
４  後軸
５  円筒カム
６  摺動コマ
６｀  摺動コマ
７  シャープペンシル筆記体
８  ボールペン等筆記体
９  案内溝
９｀  案内溝
１０  筒部
１１  ノックスプリング
１２  係合溝
１３  係合部
１４  カム斜面
１５  切欠
１６  仕切り部
１７  突起
１８  縦溝
１９  周溝
２０  突起
２０｀  突起
２１  芯パイプ
２２  フランジ部
２３  尾栓
２４  孔
２５  係止部
２６  内段部
２７  段部
２８  継ぎ手
２９  リターンスプリング
２９｀  リターンスプリング
３０  段部
３１  孔
３１｀  孔
３２  内筒
３２ａ  後端部
３３  筒部
３４  螺旋溝
３５  係止溝
３６  段部
３７  溝
３７ａ  リブ
３８  内孔
３８ａ  溝
３９  突条
４０  段部
４０ａ  段部
４１  軸部
４２  係止部
４３  スリット
４３ａ  段部
４４  クリップ
４５  スライダー
４６  筒部
４６ａ  挟持片
４７  突起
４８  段部
４９  後端部
５０  係止突起
５１  消しゴム
５２  後端部
５３  係止部
５４  消しゴム
６０  傾斜面
６１  巾狭部
６２  巾広溝
６３  巾狭溝
６４ａ  後壁
６４ｂ  傾斜面
６４ｃ  後壁
６５  前壁
７０  ガイド溝
７１  周溝
７２  後壁
７３  傾斜面
８０  後軸
８１  天冠部
８２  段部
８３  突条
８４  スリット
８５  突起
８６  溝
８７  円筒カム
８８  後端部
８９  溝
９０  スライダー
９１  弾性片
９２  操作釦
９３  係合突起
９４  消しゴム
【図１】
0003614224.tif 000002
【図２】
0003614224.tif 000003
【図３】
0003614224.tif 000004
【図４】
0003614224.tif 000005
【図５】
0003614224.tif 000006
【図６】
0003614224.tif 000007